(57)【要約】      （修正有）【課題】貨幣処理装置から貨幣を回収する作業の効率を向上させることができる貨幣処理装置および貨幣処理システムを提供する。【解決手段】貨幣処理装置（硬貨処理装置）は、貨幣を収納する複数の収納部（収納カセット）と、収納部に貨幣を収納する処理と、前記収納部に収納している貨幣を回収する回収処理と、を少なくとも実行させる制御部と、を備える。制御部は、回収処理を行う収納部を、複数の収納部のなかから、収納部毎に設定する。【選択図】図９
2019169055.tif 000002
【特許請求の範囲】
【請求項１】
貨幣を収納する複数の収納部と、
前記収納部に貨幣を収納する処理と、前記収納部に収納している貨幣を回収する回収処理と、を少なくとも実行させる制御部と、を備え、
前記制御部は、前記回収処理を行う収納部を、前記複数の収納部のなかから、収納部毎に設定する貨幣処理装置。
【請求項２】
前記制御部は、少なくとも収納している貨幣の収納量を確定する締め処理を、前記収納部毎に実行し、
前記回収処理を行う収納部は、前記締め処理を実行した収納部である請求項１に記載の貨幣処理装置。
【請求項３】
前記回収処理を行う収納部に関する情報を出力する出力部を備えている請求項１又は２に記載の貨幣処理装置。
【請求項４】
前記出力部は、前記回収処理を行う収納部に関する情報を、通信により外部機器に送信する請求項３に記載の貨幣処理装置。
【請求項５】
表示部をさらに備え、
前記出力部は、前記回収処理を行う収納部に関する情報を、前記表示部に表示する請求項３に記載の貨幣処理装置。
【請求項６】
前記出力部は、前記複数の収納部のそれぞれに対応する複数のランプを有し、
前記出力部は、前記回収処理を行う収納部に対応するランプの発光態様を変化させる請求項３に記載の貨幣処理装置。
【請求項７】
複数の収納部はそれぞれ、取り外し可能に筐体に取り付けられ、
前記筐体から前記収納部を取り外すことを、前記収納部毎に制限する制限部を備え、
前記回収処理を行う収納部に対応する制限部は、制限を解除することにより、操作者が、前記筐体から前記回収処理を行う収納部を取り外すことを許容し、前記回収処理を行わない収納部に対応する制限部は、前記操作者が、前記筐体から前記収納部を取り外すことを制限する請求項１〜６のいずれか１項に記載の貨幣処理装置。
【請求項８】
複数の収納部はそれぞれ、開閉可能に構成され、
前記回収処理を行う収納部の開閉部は、操作者が開けることを許容することにより、操作者が、前記回収処理を行う収納部から前記貨幣を取り出すことを許容し、前記回収処理を行わない収納部の開閉部は、開かないことにより、操作者が、前記回収処理を行う収納部から前記貨幣を取り出すことを禁止する請求項１〜６のいずれか１項に記載の貨幣処理装置。
【請求項９】
貨幣を収納する複数の収納部を備えた貨幣処理装置と、
前記貨幣処理装置に対して、前記収納部に貨幣を収納する処理と、前記収納部に収納している貨幣を回収する回収処理と、を少なくとも実行させる制御装置と、を備え、
前記制御装置は、前記回収処理を行う収納部を、前記複数の収納部のなかから、収納部毎に設定する貨幣処理システム。
【発明の詳細な説明】
【技術分野】
【０００１】
ここに開示する技術は、貨幣処理装置及び貨幣処理システムに関する。
【背景技術】
【０００２】
特許文献１には、貨幣処理装置の一例として、百貨店やスーパーマーケット、量販店等の小売業の店舗に設置される現金処理装置を含む売上金回収システムが記載されている。現金処理装置は、売上金の入金等に利用される。現金処理装置は、現金を収納するカセットを複数、備えている。売上金を収納したカセットからの現金の回収は、店舗との間で、回収業務の請負契約をしている回収業者の担当者が行う。回収業者の担当者は、現金処理装置からカセットを取り外すことにより、現金の回収を行う。回収業者の担当者は、現金処理装置からカセットを取り外すと、空のカセットを現金処理装置に取り付ける。
【０００３】
特許文献１に記載されている売上金回収システムにおいては、現金処理装置内の現金の収納量を確定させる締め処理を行うことによって売上金額が確定すると、店舗から回収業者の現金管理センタへ、電話回線やインターネット等の通信回線を介して売上金額の情報が送信される。回収業者の担当者は、現金管理センタにおいて、受信した売上金額の情報と、回収したカセット内の現金との照合を行う。
【先行技術文献】
【特許文献】
【０００４】
【特許文献１】特開２０１７−１３４４４４号公報
【発明の概要】
【発明が解決しようとする課題】
【０００５】
ところで、従来の現金処理装置では、回収業者の担当者が現金を回収するときには、カセット内に現金が収納されているか否かに関わらず、現金処理装置の全てのカセットを取り外すと共に、取り外したカセットの数に相当する複数の空のカセットを、現金処理装置に取り付けていた。これは、現金処理装置において締め処理を行うと、現金処理装置内の全てのカセットについて、現金の収納量が確定されるためである。
【０００６】
しかしながら、この構成では、回収業者の担当者は、現金を収納していないカセットも交換しなければならないため、カセットの回収に係る作業効率が悪くなる。また、回収業者の担当者は、現金管理センタにおいて、現金を収納していないカセットを含む全てのカセットを開けて、現金の有無を確認しなければならない。この点においても、作業効率が悪くなる。
【０００７】
また、店舗側が回収業者に支払うカセットの回収費用は、交換を行ったカセットの数によって変動するようなケースがある。そのようなケースにおいては、店舗側は、現金を収納していないカセットは、交換したくないという要望がある。
【０００８】
ここに開示する技術は、貨幣処理装置から貨幣を回収する作業の効率を向上させる。
【課題を解決するための手段】
【０００９】
具体的に、ここに開示する技術は、貨幣処理装置に関する。貨幣処理装置は、貨幣を収納する複数の収納部と、前記収納部に貨幣を収納する処理と、前記収納部に収納している貨幣を回収する回収処理と、を少なくとも実行させる制御部と、を備える。
【００１０】
そして、前記制御部は、前記回収処理を行う収納部を、前記複数の収納部のなかから、収納部毎に設定する。
【００１１】
この構成によると、制御部は、貨幣を収納していない収納部を、回収処理を行う収納部から外すことができる。貨幣の回収に関係する収納部の数が必要最小限になるから、貨幣処理装置における複数の収納部の全てが、常に、回収処理の対象となる構成と比較して、貨幣処理装置から貨幣を回収する作業効率を向上させることができる。
【００１２】
前記制御部は、少なくとも収納している貨幣の収納量を確定する締め処理を、前記収納部毎に実行し、前記回収処理を行う収納部は、前記締め処理を実行した収納部である、としてもよい。
【００１３】
こうすることで、回収処理を行う収納部は、締め処理が実行されているため、収納している貨幣の収納量が確定されている。尚、締め処理を行った収納部が全て、回収処理の対象となってもよいし、締め処理を行った収納部の一部が、回収処理の対象となってもよい。
【００１４】
前記貨幣処理装置は、前記回収処理を行う収納部に関する情報を出力する出力部を備えている、としてもよい。
【００１５】
回収業者の担当者は、出力された情報によって、複数の収納部のなかから、回収処理を行う収納部を特定することができる。
【００１６】
前記出力部は、前記回収処理を行う収納部に関する情報を、通信により外部機器に送信する、としてもよい。
【００１７】
外部機器は、貨幣処理装置から貨幣を回収する回収業者側の機器としてもよい。回収業者側の機器は、例えば回収業者の管理センタに設置されているＰＣとしてもよい。また、回収業者側の機器は、貨幣の回収を行う回収業者の担当者が携帯する携帯端末（例えばスマートフォン、タブレット端末、又は、ノートＰＣ等）としてもよい。また、「回収処理を行う収納部に関する情報」は、回収処理を行う収納部の数、及び／又は、回収処理を行う収納部を特定する情報（例えば収納部に割り振られた番号等）としてもよい。
【００１８】
こうすることで、回収業者の担当者は、貨幣処理装置から貨幣を回収する前、又は、貨幣を回収する時に、回収処理を行う収納部の数を知ることができる。また、回収処理を行う収納部を特定することができる。回収業者の担当者は、回収処理を行う収納部について回収作業を行う一方、回収処理を行わない収納部について回収作業を行わないことができる。また、収納部を回収し、空の収納部に交換する場合は、用意する空の収納部の数を必要最小限にすることができる。回収業者の担当者の作業効率を向上させることができる。
【００１９】
前記貨幣処理装置は、表示部をさらに備え、前記出力部は、前記回収処理を行う収納部に関する情報を、前記表示部に表示する、としてもよい。
【００２０】
この構成により、回収業者の担当者は、貨幣処理装置から貨幣を回収する時に、表示部の表示によって、回収処理を行う収納部の数を知ることができる。また、回収処理を行う収納部を特定することができる。
【００２１】
前記出力部は、前記複数の収納部のそれぞれに対応する複数のランプを有し、前記出力部は、前記回収処理を行う収納部に対応するランプの発光態様を変化させる、としてもよい。
【００２２】
こうすることで、回収業者の担当者は、貨幣処理装置から貨幣を回収する時に、回収処理を行う収納部を特定することができる。
【００２３】
複数の収納部はそれぞれ、取り外し可能に筐体に取り付けられ、貨幣処理装置は、前記筐体から前記収納部を取り外すことを、前記収納部毎に制限する制限部を備え、前記回収処理を行う収納部に対応する制限部は、制限を解除することにより、操作者が、前記筐体から前記回収処理を行う収納部を取り外すことを許容し、前記回収処理を行わない収納部に対応する制限部は、前記操作者が、前記筐体から前記収納部を取り外すことを制限する、としてもよい。
【００２４】
こうすることで、回収処理を行わない収納部は、貨幣処理装置の筐体から取り外すことができないため、回収業者の担当者（つまり、操作者）は、回収処理を行う収納部のみを、回収作業の対象とすることができる。回収作業を、正確にかつ効率的に行うことができる。
【００２５】
複数の収納部はそれぞれ、開閉可能に構成され、前記回収処理を行う収納部の開閉部は、操作者が開けることを許容することにより、操作者が、前記回収処理を行う収納部から前記貨幣を取り出すことを許容し、前記回収処理を行わない収納部の開閉部は、開かないことにより、操作者が、前記回収処理を行う収納部から前記貨幣を取り出すことを禁止する、としてもよい。
【００２６】
こうすることで、回収処理を行わない収納部は、開けることができないため、回収業者の担当者は、回収処理を行う収納部のみを、回収作業の対象とすることができる。
【００２７】
ここに開示する貨幣処理システムは、貨幣を収納する複数の収納部を備えた貨幣処理装置と、前記貨幣処理装置に対して、前記収納部に貨幣を収納する処理と、前記収納部に収納している貨幣を回収する回収処理と、を少なくとも実行させる制御装置と、を備え、前記制御装置は、前記回収処理を行う収納部を、前記複数の収納部のなかから、収納部毎に設定する。
【００２８】
この構成の貨幣処理システムによると、前記貨幣処理装置と同様に、貨幣処理装置から貨幣を回収する作業効率を向上させることができる。
【発明の効果】
【００２９】
以上、説明したように、前記の貨幣処理装置及び貨幣処理システムによると、貨幣処理装置から貨幣を回収する作業の効率を向上させることができる。
【図面の簡単な説明】
【００３０】
【図１】図１は、貨幣回収システムの構成を例示する概念図である。
【図２】図２は、硬貨処理装置の外観を例示する斜視図である。
【図３】図３は、硬貨処理装置の構成を例示するブロック図である。
【図４】図４は、硬貨処理装置内の処理部の構成を例示する平面図である。
【図５】図５は、硬貨の収納に係る振分構成を例示する側面図である。
【図６】図６は、一時保留部から返却部へ硬貨を送る状態と、一時保留部から収納カセットへ硬貨を送る状態とを示す遷移図である。
【図７】図７は、硬貨処理装置から引き出した収納カセットを例示する斜視図である。
【図８】図８は、収納カセットの取り外しを制限する制限部の構成を例示する模式図である。
【図９】図９は、硬貨処理装置における締め処理と回収処理との実行に係るフローチャートである。
【図１０】図１０は、図７とは異なる構成の収納カセットを例示する斜視図である。
【図１１】図１１は、図１とは異なる構成の貨幣回収システムの構成を例示する概念図である。
【発明を実施するための形態】
【００３１】
以下、貨幣処理装置の構成について、図面を参照しながら説明をする。ただし、以下の説明は例示である。
【００３２】
（貨幣回収システム）
図１は、貨幣回収システム１の構成を例示している。貨幣回収システム１は、各種の店舗１１と、店舗１１の売上金を回収する請負契約を、店舗１１との間で行っている回収業者の管理センタ１２と、によって構成されている。なお、売上金には、店舗１１における売上のみならず、釣銭準備金などが含まれる場合もある。
【００３３】
ここで説明をする構成例において、店舗１１は、各所に設置している自動販売機の管理を行う店舗である。具体的には、店舗１１の担当者が各所の自動販売機から回収した売上金が、店舗１１に集められる。店舗１１には、貨幣処理装置としての硬貨処理装置２が設置されている。硬貨処理装置２は、自動販売機から回収した硬貨の計数を行うと共に、硬貨を収納する。硬貨処理装置２は、入金処理を行う。硬貨処理装置２は、例えばインターネットによって構成される通信回線９に接続されている。尚、店舗１１の形態は特に制限されるものではなく、店舗１１は、例えば各種の小売り店舗であってもよい。
【００３４】
管理センタ１２には、通信回線９に接続される外部機器４が設定されている。外部機器は、例えば汎用のＰＣとしてもよい。管理センタ１２には、回収業者の担当者によって店舗１１から回収された貨幣（硬貨を含む）が集められる。硬貨は、後述するように、硬貨処理装置２から取り外された収納カセット２６によって、店舗１１から管理センタ１２に搬送される。
【００３５】
（硬貨処理装置の構成）
図２及び図３は、硬貨処理装置２の構成を例示している。ここに例示している硬貨処理装置２は、投入された硬貨を、複数の収納カセット２６に収納するよう構成されている（図７も参照）。硬貨処理装置２は、矩形箱状の筐体２０を有している。筐体２０の上部には、硬貨処理装置２の操作者（後述するように、店舗１１の担当者、又は、回収業者の担当者）が操作を行う操作部２１１、各種の事項を表示する表示部２１２、硬貨処理装置２の操作者を特定するための認証部２１３、及び、各種のジャーナルを印字するプリンタ部２１４を備えている。
【００３６】
操作部２１１は、図２の構成例では、テンキーなどの操作キーを有して構成されている。操作部２１１は、例えば表示部２１２と一体化させたタッチパネル式の操作部に構成してもよい。
【００３７】
表示部２１２は、例えば液晶表示装置等のフラットパネルディスプレイによって構成してもよい。
【００３８】
認証部２１３は、図例では、ＩＤカードに磁気記録されている操作者の情報を読み取るカードリーダによって構成されている。認証部２１３は、磁気記録を読み取るカードリーダに限らず、ＩＣチップに記録されている情報を読み取るカードリーダによって構成してもよい。また、認証部２１３は、生体認証により操作者を特定するように構成してもよい。
【００３９】
プリンタ部２１４は、例えば熱転写式のプリンタや、インクジェット式のプリンタによって構成してもよい。
【００４０】
筐体２０の上部にはまた、硬貨処理装置２に入金する硬貨が投入される投入口２１０が設けられている。図示は省略するが、投入口２１０には、投入された硬貨を、後述する処理部へと導くホッパが設けられている。
【００４１】
図４は、筐体２０内に設けられている処理部の構成例を概略的に示している。処理部は、投入口２１０に投入された硬貨を繰り出す繰出部２２と、繰り出された硬貨を搬送する搬送部２３と、硬貨の識別を行う識別部２４と、を有している。
【００４２】
繰出部２２は、第１円盤２２１と、第２円盤２２２との二つの円盤を有している。第１円盤２２１は前記ホッパの下方に配設されている。投入口２１０に投入された硬貨は、ホッパを介して第１円盤２２１に投入される。第１円盤２２１が、図４における時計回り方向に回転をすると、遠心力によって硬貨は、第１円盤２２１の周縁部に沿って移動し、所定の位置に設けた供給口から、第２円盤２２２へと送り出される。
【００４３】
第２円盤２２２は、第１円盤２２１に隣り合って配設されている。第２円盤２２２は、図４における反時計回り方向に回転をする。第２円盤２２２が回転をすると、硬貨は、遠心力によって、第２円盤２２２の周縁部に沿って移動し、搬送部２３に、一層一列状態で繰り出される。
【００４４】
搬送部２３は、図４における紙面左から右方向に硬貨を搬送する第１搬送路２３１と、第１搬送路２３１に接続すると共に、紙面下から上方向に硬貨を搬送する第２搬送路２３２とを有している。
【００４５】
第１搬送路２３１には、第１搬送ベルト２３３が配設されている。第１搬送ベルト２３３は、第１搬送路２３１に沿って走行する。硬貨は、第１搬送路２３１の搬送面と、第１搬送ベルト２３３との間に挟まれた状態で、硬貨と第１搬送ベルト２３３との間に働く摩擦力によって、第１搬送路２３１に沿って搬送される。
【００４６】
識別部２４は、第１搬送路２３１に配設されている。識別部２４は、磁気センサ２４１とイメージセンサ２４２とを有している。
【００４７】
第２搬送路２３２には、第２搬送ベルト２３４が配設されている。尚、図４においては、第２搬送ベルト２３４の一部の図示を省略している。第２搬送ベルト２３４は、第２搬送路２３２に沿って走行する。硬貨は、第２搬送路２３２の搬送面と、第２搬送ベルト２３４との間に挟まれた状態で、硬貨と第２搬送ベルト２３４との間に働く摩擦力によって、第２搬送路２３２に沿って搬送される。
【００４８】
第２搬送路２３２には、搬送方向の順に、汚損硬貨及びその他のリジェクト硬貨をリジェクトするためのリジェクト孔２５ａと、硬貨を第１〜第６の収納カセット２６１〜２６６に送るための第１〜第６の選別孔２５ｂ〜２５ｇが設けられている。リジェクト孔２５ａ及び第１〜第５の選別孔２５ｂ〜２５ｆにはそれぞれ、第２搬送路２３２に沿って搬送される硬貨を、選択的に、リジェクト孔２５ａ、又は、第１〜第５の選別孔２５ｂ〜２５ｆに落下させる選別部２５１ａ〜２５１ｆが設けられている。第６の選別孔２５ｇには、選別部が設けられていない。第６の選別孔２５ｇには、リジェクト孔２５ａ及び第１〜第５の選別孔２５ｂ〜２５ｆに落下しなかった硬貨が落下する。
【００４９】
第２搬送路２３２にはまた、各孔２５ａ〜２５ｇに対応して、搬送中の硬貨を検知する複数のセンサ２５２ａ〜２５２ｇが配設されている。これらのセンサ２５２ａ〜２５２ｇの検知結果に基づいて選別部２５１ａ〜２５１ｆが駆動することにより、硬貨処理装置２は、投入口２１０に投入された硬貨を、リジェクト孔２５ａ、又は、第１〜第６の選別孔２５ｂ〜２５ｇのいずれかに落下させるよう構成されている。硬貨処理装置２は、径差によって硬貨の選別を行うのではなく、いわゆる、電磁選別を行うよう構成されている。
【００５０】
硬貨処理装置２にはまた、リジェクト孔２５ａを通過したリジェクト硬貨を操作者に返却するためのリジェクト部２７と、後述するように、第１〜第６のいずれかの選別孔２５ｂ〜２５ｇを通過した後に返却される硬貨を収納する返却部２８と、第１〜第６の選別孔２５ｂ〜２５ｇを通過した硬貨を収納する第１〜第６の収納カセット２６１〜２６６とが、設けられている。
【００５１】
リジェクト部２７は、図２に示すように、筐体２０の前面における装置に向かって右部に設けられている。リジェクト部２７は、筐体２０の前面に開口している。操作者は、リジェクト部２７に収納されているリジェクト硬貨を手で取り出すことができる。
【００５２】
返却部２８は、筐体２０の前面における装置に向かって右下部に設けられている。詳細な図示は省略するが、返却部２８は、装置の前方に向かって引き出し可能に構成されている。返却部２８は、第１〜第６の選別孔２５ｂ〜２５ｇに対し、一つ設けられている。操作者は、返却部２８を引き出すことによって、返却された硬貨を、取り出すことができる。
【００５３】
筐体２０の前面における装置に向かって左部には、第１〜第６の収納カセット２６１〜２６６が取り付けられる収納フレーム２９が配設されている。収納フレーム２９は、図７に示すように、装置の前方に向かって引き出し可能に構成されている。第１〜第６の収納カセット２６１〜２６６は、硬貨処理装置２の前後方向に並んで配設されている。
【００５４】
ここで、収納フレーム２９を硬貨処理装置２から引き出すことは、原則的には、回収業者（の担当者）のみが可能である。つまり、認証部２１３において認証を行うことにより、図示しない収納フレーム２９のロック機構が解除され、回収業者の担当者は、収納フレーム２９を硬貨処理装置２から引き出すことができ、収納フレーム２９を引き出すことによって筐体２０の外に出た収納カセット２６１〜２６６を、硬貨処理装置２から取り外すことができる。一方、店舗１１の担当者は、基本的には、収納フレーム２９を、硬貨処理装置２から引き出すことができない。
【００５５】
図５は、筐体２０内において、第２搬送路２３２の下側の構成を概念的に例示している。第２搬送路の下側には、振分部３が配設されている。振分部３は、一時保留部３０と、第１〜第３シュート３１、３２、３３とを有している。
【００５６】
一時保留部３０は、第１〜第６の選別孔２５ｂ〜２５ｇのそれぞれに対応して、複数設けられている。一時保留部３０は、選別孔２５ｂ〜２５ｇを通過した硬貨を収容する筒部３０１と、筒部３０１の底を塞ぐ底部３０２とを有している。筒部３０１及び底部３０２はそれぞれ、図５における紙面左右方向に、独立して、移動するよう構成されている。底部３０２は、筒部３０１の底を開閉する。
【００５７】
第１シュート３１は、一時保留部３０の筒部３０１の上端部と、第１〜第６の選別孔２５ｂ〜２５ｇとの間に配設されている。第１シュート３１は、第１〜第６の選別孔２５ｂ〜２５ｇに対応して、複数設けられている。第１シュート３１は、一時保留部３０と、第１〜第６の選別孔２５ｂ〜２５ｇとをつないでいる。第１〜第６の選別孔２５ｂ〜２５ｇを落下した硬貨は、第１シュート３１を通って一時保留部３０に入る。
【００５８】
第２シュート３２と、第３シュート３３とは、一時保留部３０の下側に配設されている。第２シュート３２と、第３シュート３３とはそれぞれ、第１〜第６の選別孔２５ｂ〜２５ｇに対応して、複数設けられている。第２シュート３２の下端は、返却部２８につながっている。第３シュート３３は、上側第３シュート３３１と、上側第３シュート３３１の下側に配設された下側第３シュート３３２とによって構成されている。下側第３シュート３３２の下端は、第１〜第６の収納カセット２６１〜２６６のそれぞれにつながっている。下側第３シュート３３２は、移動しないよう構成されている。上側第３シュート３３１は、図５における紙面左右方向に移動するよう構成されている。上側第３シュート３３１は、一時保留部３０と下側第３シュート３３２との間をつないでいる。
【００５９】
硬貨の入金処理を行うときには、図６に符号６１で示すように、一時保留部３０は、第１シュート３１につながる位置に位置づけられる。また、一時保留部３０の底部３０２は、筒部３０１の底を塞いでいる。第２搬送路２３２に沿って搬送されている硬貨が選別孔２５ｂ〜２５ｇを通過すると、その硬貨は、第１シュート３１を通って一時保留部３０に収納される（図６の白抜きの矢印参照）。
【００６０】
投入口２１０に投入された硬貨が全て繰り出されて、硬貨の搬送が完了した後、店舗１１の担当者が入金処理をキャンセルして、硬貨の返却を希望したときには、図６に符号６２で示すように、一時保留部３０の筒部３０１は、第２シュート３２の上方位置に移動する一方で、底部３０２は、下側第３シュート３３２の上方位置に移動する。これにより、筒部３０１の底が開いて一時保留部３０に収納していた硬貨は、第２シュート３２を通じて、図６では図外の返却部２８に落下する（図６の白抜きの矢印参照）。店舗１１の担当者は、返却部２８を、装置の前側に引き出すことによって、返却された硬貨を、返却部２８から取り出すことができる。
【００６１】
これに対し、店舗１１の担当者が入金処理を完了させることを希望したときには、図６に符号６３で示すように、上側第３シュート３３１は、下側第３シュート３３２の上方に位置する。それと共に、一時保留部３０の筒部３０１は、上側第３シュート３３１の上方位置に移動する一方で、底部３０２は、第２シュート３２の上方位置に移動する。これにより、筒部３０１の底が開いて一時保留部３０に収納していた硬貨は、第３シュート３３を通じて、当該第３シュート３３に対応する、図外の収納カセット２６１〜２６６に収納される（図６の白抜きの矢印参照）。
【００６２】
各収納カセット２６は矩形箱状を有している。各収納カセット２６は、図７に一点鎖線で示すように、収納カセット２６毎に、収納フレーム２９から取り外すことができるよう構成されている。
【００６３】
図８に示すように、収納フレーム２９には、収納カセット２６に対応して、収納カセット２６の取り外しを制限する制限部の一例としてのロック機構２９１が設けられている。ロック機構２９１は、図８の構成例では、収納カセット２６の側面に設けられた凹部２６７に挿入されるピン２９２を有して構成されている。ピン２９２は、進退可能に構成されている。図８に示すように、ピン２９２が凹部２６７に挿入されていると、後述するように、回収業者の担当者は、収納カセット２６を収納フレーム２９から取り外すことができない。図示は省略するが、ピン２９２が凹部２６７から外れていると、回収業者の担当者は、収納カセット２６を収納フレーム２９から取り外すことができる。
【００６４】
収納フレーム２９にはまた、図７に例示するように、第１〜第６の収納カセット２６１〜２６６のそれぞれに対応して、合計六個のランプ２９ａ〜２９ｆが取り付けられている。これらのランプ２９ａ〜２９ｆは、詳細は後述するが、回収対象の収納カセット２６を特定するために用いられる。
【００６５】
図３に示すように、硬貨処理装置２は、制御部２００を備えている。制御部２００には、前述した操作部２１１、表示部２１２、認証部２１３、プリンタ部２１４、識別部２４、搬送部２３、繰出部２２、振分部３、ロック機構２９１、及びランプ２９ａ〜２９ｆがそれぞれ、信号の授受可能に接続されている。硬貨処理装置２はまた、通信回線９を通じて通信を行う通信部２０１を備えている。通信部２０１もまた、制御部２００に信号の授受可能に接続されている。さらに、硬貨処理装置２は、各種の情報を記憶する記憶部２０２を備えている。記憶部２０２は、例えばハードディスクドライブや、不揮発性メモリ等からなる。記憶部２０２には、第１〜第６の収納カセット２６１〜２６６に収納している硬貨の在高の情報や、店舗１１と契約している回収業者の情報が記憶されている。
【００６６】
（貨幣回収システムの運用）
次に、貨幣回収システム１の運用について説明する。前述したように店舗１１には、各所に設置された自動販売機から回収された硬貨（売上金）が集められる。硬貨処理装置２は、集められた硬貨の入金処理を行う。具体的に、入金処理を行おうとする店舗１１の担当者は、硬貨処理装置２の認証部２１３によって認証操作を行った後、入金処理の実行を選択した上で、投入口２１０に硬貨を投入する。前述したように、硬貨処理装置２は、投入口２１０に投入された硬貨を、処理部によって第１〜第６の収納カセット２６１〜２６６に収納する（但し、リジェクト硬貨を除く）。ここで、硬貨処理装置２は、第１〜第６の収納カセット２６１〜２６６に、金種別に硬貨を収納するのではなく、入金日別に硬貨を収納する。各収納カセット２６１〜２６６には、異なる金種の硬貨が混合状態で収納される。
【００６７】
店舗１１においては、例えば一日の業務終了時に、店舗１１の担当者の操作に従って、硬貨処理装置２において締め処理が行われる。締め処理は、当日に収納カセット２６１〜２６６に収納された硬貨の収納量（つまり、在高）を確定する処理である。前述の通り、この硬貨処理装置２では、複数の収納カセット２６１〜２６６に対し、入金日別に硬貨を収納する。例えば、３月１日に入金処理を行った硬貨は、第１の収納カセット２６１に収納され、３月２日に入金処理を行った硬貨は、第２の収納カセット２６２に収納される。従って、締め処理も、収納カセット毎に行うことができる。尚、一日の入金処理において硬貨を収納する収納カセット２６は一つに限らず、入金する硬貨量が多いときには、二つ以上の収納カセット２６に分けて、一日分の硬貨の入金を行ってもよい。従って、締め処理の対象となる収納カセット２６も、一つに限らず、複数の場合がある。締め処理を行うと、その後、当該収納カセット２６に硬貨を収納することはできない。次の日に硬貨を収納する収納カセット２６は、締め処理を行っていない収納カセット２６になる。
【００６８】
回収業者の担当者は、毎日、又は、所定の日数を空けて定期的に、店舗１１に出向いて、硬貨処理装置２に収納されている硬貨（つまり、売上金）の回収を行う。
【００６９】
ここで、硬貨処理装置２は、回収業者の担当者が、売上金の回収のために店舗１１に来る前、又は、来た時に、複数の収納カセット２６１〜２６６のなかから、回収処理を行う収納カセットの設定を行う。具体的に回収処理を行う収納カセット２６は、締め処理を行っている収納カセット２６である。前述したように、締め処理は、収納カセット２６毎に行われるため、回収処理を行う収納カセット２６も、収納カセット２６毎に設定される。回収処理の対象の収納カセット２６は、第１〜第６の収納カセット２６１〜２６６の一部の場合、及び、第１〜第６の収納カセット２６１〜２６６の全ての場合、の両方があり得る。
【００７０】
硬貨処理装置２はまた、回収処理を行う収納カセット２６に関する情報を、通信部２０１及び通信回線９を介して、回収業者側に事前に送信する。情報の送信タイミングは、後述するように、締め処理を行ったタイミングとしてもよい。また、回収業者の担当者が、売上金の回収のために店舗１１に来るスケジュールに基づいて、店舗１１に来る前のタイミングで、情報を送信してもよい。通信部２０１は、回収処理を行う収納カセット２６に関する情報を出力する出力部の一例である。
【００７１】
回収業者側に事前に送信する情報としては、回収処理を行う収納カセット２６の数、及び／又は、回収処理を行う収納カセット２６の番号としてもよい。収納カセット２６に関する情報が、回収業者側に事前に送信されることにより、回収業者の担当者は、回収すべき収納カセット２６の数を、事前に知ることができる。硬貨処理装置２から硬貨を収納している収納カセット２６を取り外したときには、代わりに、空の収納カセット２６を硬貨処理装置２に取り付けるが、回収すべき収納カセット２６の数を、事前に知ることができるため、店舗１１に持参すべき空の収納カセット２６の数も知ることができる。回収業者の担当者は、余分な収納カセット２６を運ぶことがなく、貨幣回収システム１の運用をスムースに行うことができる。
【００７２】
売上金の回収のために店舗１１に到着した回収業者の担当者は、硬貨処理装置２の認証部２１３によって認証操作を行った後、回収処理の実行を選択すれば、収納フレーム２９を、硬貨処理装置２から引き出すことができる。
【００７３】
硬貨処理装置２は、第１〜第６の収納カセット２６１〜２６６のうち、回収処理の対象の収納カセット２６は、ロック機構２９１を解除することにより、回収業者の担当者が、当該収納カセット２６を収納フレーム２９から取り出すことを許容する。一方、回収処理の対象でない収納カセット２６は、ロック機構２９１のロックを維持することにより、回収業者の担当者が、収納カセット２６を収納フレーム２９から取り出すことを制限する。
【００７４】
また、硬貨処理装置２は、回収処理の対象の収納カセット２６に対応するランプ２９ａ〜２９ｆを発光させ、回収処理の対象でない収納カセット２６に対応するランプ２９ａ〜２９ｆは発光させない。
【００７５】
ロック機構２９１やランプ２９ａ〜２９ｆを設けることにより、回収業者の担当者は、第１〜第６の複数の収納カセット２６１〜２６６のなかから、回収処理の対象の収納カセット２６を、正確に特定することができる。回収業者の担当者が、誤った収納カセット２６（例えば空の収納カセット２６や、締め処理を行っていない収納カセット２６）を収納フレーム２９から取り外して回収してしまうことを抑制することができる。ランプ２９ａ〜２９ｆは、回収処理を行う収納カセット２６に関する情報を出力する出力部の一例である。
【００７６】
回収処理の対象の収納カセット２６を収納フレーム２９から取り外した後、回収業者の担当者は、空の収納カセット２６を収納フレーム２９に取り付ける。その後、回収業者の担当者は、収納フレーム２９を硬貨処理装置２の筐体２０内に押し込む。こうして、硬貨処理装置２からの硬貨の回収が完了する。回収処理時には、プリンタ部２１４は、回収処理の対象の収納カセット２６に収納されている硬貨の在高を記したジャーナルを印刷してもよい。ジャーナルは、硬貨処理装置２から取り外された収納カセット２６と共に、回収業者の担当者によって、回収業者の管理センタ１２に運ばれる。
【００７７】
管理センタ１２においては、収納カセット２６が開けられて硬貨が取り出される。取り出された硬貨は、管理センタ１２において計数され、事前に送信されていた収納カセット２６に関する情報、及び／又は、回収処理時に発行されたジャーナルの情報と照合される。こうして、貨幣回収システム１における貨幣の回収作業が完了する。
【００７８】
図９は、締め処理及び回収処理に関し、硬貨処理装置２の制御部２００が実行する制御フローを例示している。先ず、スタート後のステップＳ１において、制御部２００は、認証部２１３を用いて操作者の認証処理を行う。続くステップＳ２において、制御部２００は、操作者（ここでは店舗１１の担当者）が操作部２１１を操作することによって、締め処理の実行が指定されたか否かを判断する。締め処理の実行が指定されたときには、制御プロセスはステップＳ３に進む。一方、締め処理の実行が指定されていないときには、制御プロセスはステップＳ６に進む。
【００７９】
ステップＳ３において制御部２００は、締め処理の対象となる収納カセット２６について、締め処理を実行する。前述したように、締め処理は、収納カセット２６毎に行われる。締め処理の対象となる収納カセット２６は、店舗１１の担当者が指定をしてもよいし、硬貨処理装置２が自動的に設定してもよい。つまり、制御部２００は、当日に硬貨を収納した収納カセット２６を、締め処理の対象の収納カセットに設定してもよい。
【００８０】
続くステップＳ４において、制御部２００は、通信部２０１を通じて、締め処理を行った収納カセット２６の情報を回収業者側へ送信する。回収業者のＰＣ４は、収納カセット２６の情報を受信する（ステップＳ１０）。硬貨処理装置２の制御部２００は、ステップＳ５において締め処理を終了し、制御プロセスは、リターンする。
【００８１】
ステップＳ６において、制御部２００は、操作者（ここでは回収業者の担当者）が操作部２１１を操作することによって、回収処理の実行が指定されたか否かを判断する。回収処理の実行が指定されたときには、制御プロセスはステップＳ７に進む。一方、回収処理の実行が指定されていないときには、制御プロセスはステップＳ１に戻る。
【００８２】
ステップＳ７において、収納フレーム２９のロック機構を解除し、収納フレームが引き出されたあと、ステップＳ８において制御部２００は、回収処理の対象となる収納カセット２６について、ロック機構２９１を解除する。また、回収処理の対象となる収納カセット２６に対応するランプ２９ａ〜２９ｆを発光させる。前述したように、回収業者の担当者は、回収処理の対象となる収納カセット２６を、硬貨処理装置２から取り外すと共に、空の収納カセット２６を、硬貨処理装置２に取り付ける。その後、制御部２００は、ステップＳ９において回収処理を終了し、制御プロセスは、リターンする。
【００８３】
取り外された収納カセット２６の搬送先である管理センタ１２においては、前述したように、収納カセット２６から取り出された硬貨の計数結果と、ステップＳ１０で受信をした収納カセット２６に関する情報との照合が行われる（ステップＳ１１）。
【００８４】
尚、図９に示すフローチャートでは、ステップＳ４において、締め処理を実行する度に、締め処理を行った収納カセット２６１〜２６６に関する情報を、硬貨処理装置２から回収業者側へと送信している。回収業者側においては、店舗１１に回収に出向く前に、それまでの間に硬貨処理装置２から送信されている収納カセットに関する情報に基づいて、回収処理の対象となる収納カセット２６１〜２６６の数を集計したり、回収処理の対象となる収納カセット２６１〜２６６を特定したりすることができる。これとは異なり、硬貨処理装置２は、回収業者の担当者が店舗１１に回収に来るタイミングに合わせて、回収処理の対象となる収納カセット２６１〜２６６に関する情報をまとめて、回収業者側へ送信するようにしてもよい。
【００８５】
この硬貨処理装置２は、回収処理を行う収納カセット２６を、複数の収納カセット２６のなかから、収納カセット２６毎に設定することができる。そのため、回収業者の担当者が回収及び交換する収納カセット２６の数を、必要最小限にすることができる。回収業者の担当者の作業効率を向上させることができる。また、貨幣回収システム１の運用を、スムースに行うことができる。
【００８６】
また、硬貨処理装置２は、回収処理の対象の収納カセット２６をランプ２９ａ〜２９ｆの発光によって回収業者の担当者に示したり、回収対象外の収納カセット２６をロック機構２９１によりロックしたりすることにより、回収業者の担当者は、硬貨処理装置２から収納カセット２６を回収する時に、回収処理を行うべき収納カセット２６を、正確に特定することができる。
【００８７】
尚、硬貨処理装置２は、回収処理の対象の収納カセット２６をランプ２９ａ〜２９ｆの発光によって回収業者の担当者に示す代わりに、又は、ランプ２９ａ〜２９ｆの発光によって回収業者の担当者に示すと共に、硬貨処理装置２の表示部２１２に、回収処理の対象の収納カセット２６の情報を表示するようにしてもよい。こうすることで、回収業者の担当者は、表示部２１２の表示内容を見ることにより、回収処理の対象の収納カセット２６を正確に特定することができる。それによって、回収業者の担当者の作業効率を向上させることができる。ランプ２９ａ〜２９ｆは省略することも可能である。
【００８８】
尚、図示は省略するが、硬貨処理装置２の表示部２１２に代えて、回収業者の担当者が携帯する携帯端末（例えば、スマートフォン、タブレット端末、又は、ノートＰＣ）の表示部に、回収処理の対象の収納カセット２６の情報を表示するようにしてもよい。こうすることでも、回収業者の担当者は、回収処理の対象の収納カセット２６を正確に特定することができる。
【００８９】
（収納カセットの変形例）
前記の構成では、収納カセット２６は、硬貨処理装置２の収納フレーム２９に対し、取り外し可能に、取り付けられていた。これとは異なり、収納カセット２６は、収納フレーム２９に対し、取り外し不可に取り付けられていてもよい。その場合、各収納カセット２６には、例えば図１０に例示するように、開閉可能な開閉部２６８を設けてもよい。開閉部２６８は、詳細な図示は省略するが、例えば電磁的に構成されるロック機構を有し、制御部２００が当該ロック機構のロック及びアンロックを制御することにより、回収業者の担当者が開閉部２６８を開けることを制限及び許容するようにしてもよい。つまり、回収処理の対象の収納カセット２６について、制御部２００は、ロック機構をアンロック状態にすることにより、回収業者の担当者は、当該収納カセット２６の開閉部２６８を開けて、収納されている硬貨を、収納カセット２６から取り出すことができる。一方、回収処理の対象でない収納カセット２６については、制御部２００は、ロック機構をロック状態にすることにより、回収業者の担当者は、当該収納カセット２６の開閉部２６８を開けることができなくなる。担当者は、回収処理の対象でない収納カセット２６の開閉部を開けずに済むため、回収処理に係る作業効率を向上させることができる。
【００９０】
（貨幣回収システムの変形例）
図１１は、図１とは異なる構成の貨幣回収システム１０の構成例を示している。硬貨処理装置２の構成は、図１及び図２に示す硬貨処理装置２の構成と同じである。
【００９１】
図１１に示す貨幣回収システム１０は、例えば複数の店舗（図例では、第１〜第３の三つの店舗１１１、１１２、１１３）が入居するショッピングモール１１０に設置された硬貨処理装置２を含んでいる。この硬貨処理装置２は、複数の店舗１１１、１１２、１１３が共用する硬貨処理装置２であり、各店舗１１１、１１２、１１３の売上金は、複数の収納カセット２６に分けて収納される。すなわち、硬貨処理装置２は、店舗別に、複数の収納カセット２６に硬貨を収納する。各店舗１１１、１１２、１１３に割り当てられる収納カセット２６は、一つであってもよいし、二つ以上であってもよい。収納カセット２６の割り当て情報は、記憶部２０２に記憶されている。各店舗１１１、１１２、１１３の担当者は、硬貨処理装置２において認証処理を行った上で、硬貨の入金処理を行う。これにより、硬貨処理装置２は、当該店舗１１１、１１２、１１３に対応する収納カセット２６内に、硬貨を収納する。このとき、硬貨処理装置２は、当該店舗１１１、１１２、１１３に、複数の収納カセット２６が割り当てられているときには、例えば入金日別に、複数の収納カセット２６に硬貨を収納してもよいし、金種別に、複数の収納カセット２６に硬貨を収納してもよい。
【００９２】
また、各店舗１１１、１１２、１１３の担当者は、それぞれ個別に、硬貨処理装置２において認証処理を行った上で、締め処理を行う。締め処理の対象となる収納カセット２６は、当該店舗に割り当てられている収納カセット２６である。当該店舗１１１、１１２、１１３に、複数の収納カセット２６が割り当てられているときには、収納カセット２６毎に、締め処理の対象となる収納カセット２６を設定してもよい。この硬貨処理装置２においても、締め処理が、収納カセット２６毎に実行される。
【００９３】
この貨幣回収システム１０において、第１店舗１１１は、第１回収業者１２１との間で、売上金の回収業務の委託契約をしており、第２店舗１１２は、第２回収業者１２２との間で、売上金の回収業務の委託契約をしており、第３店舗１１３は、第３回収業者１２３との間で、売上金の回収業務の委託契約をしているとする。これらの情報は、硬貨処理装置２の記憶部２０２に記憶されている。
【００９４】
前記と同様に、各店舗１１１、１１２、１１３の担当者が、硬貨処理装置２において締め処理を行うと、回収処理の対象の収納カセット２６に関する情報が、当該店舗と契約している回収業者側へ、通信回線９を介して送信される。つまり、第１回収業者１２１に対しては、第１店舗１１１についての、回収処理の対象の収納カセット２６に関する情報（回収処理の対象の収納カセット２６の数、及び／又は、収納カセット２６を特定する情報（例えば番号等））が硬貨処理装置２から送信される。
【００９５】
また、第２回収業者１２２に対しては、第２店舗１１２についての、回収処理の対象の収納カセット２６に関する情報が硬貨処理装置２から送信される。同様に、第３回収業者１２３に対しては、第３店舗１１３についての、回収処理の対象の収納カセット２６に関する情報が硬貨処理装置２から送信される。
【００９６】
売上金の回収のためにショッピングモール１１０に出向いた各回収業者の担当者が、硬貨処理装置２において認証処理を行って、回収処理の実行を選択すると、当該回収業者が回収すべき収納カセット２６のロック機構２９１が解除されて、硬貨処理装置２から取り外すことができる。つまり、第１回収業者の担当者は、第１店舗１１１の回収対象の収納カセット２６を、硬貨処理装置２から取り外すことができ、第２回収業者の担当者は、第２店舗１１２の回収対象の収納カセット２６を、硬貨処理装置２から取り外すことができ、第３回収業者の担当者は、第３店舗１１３の回収対象の収納カセット２６を、硬貨処理装置２から取り外すことができる。
【００９７】
この貨幣回収システム１０でも、前記と同様に、複数の収納カセット２６のなかから、収納カセット２６毎に設定することができるため、貨幣回収システム１０の運用を、スムースに行うことができる。また、回収業者の担当者の作業効率を向上させることができる。
【００９８】
また、この貨幣回収システム１０では、一つの硬貨処理装置２によって、複数の店舗それぞれの売上金の管理、及び、売上金の回収を行うことができるという利点もある。
【００９９】
（他の構成例）
尚、前述した収納カセット２６には、各種の情報を記憶することができると共に、記憶している情報をリーダーによって読み取り可能なタグを取り付けてもよい。収納カセット２６毎にタグを取り付ける構成においては、硬貨処理装置２に、タグに情報を書き込むことが可能なライタを設けておく。制御部２００は、収納カセット２６毎に、締め処理を行うと、締め処理の対象の収納カセット２６のタグに、例えば「店舗情報」「カセット番号」「入金日、締め日」「入金額（収納金額）」等の情報を書き込む。それと共に、制御部２００は、回収業者側へ、通信回線９を介して、タグに書き込んだ情報を送信する。
【０１００】
こうすることで、回収業者の担当者が、硬貨処理装置２から収納カセット２６を回収した後、管理センタ１２において、収納カセット２６のタグから読み出した情報と、通信回線９を通じて受信した情報と、収納カセット２６から取り出した硬貨の計数情報とを照合することができる。
【０１０１】
尚、前述した貨幣回収システム１では、回収業者の担当者は、予め定められたスケジュールに従って、定期的に店舗１１に出向いて貨幣の回収を行っている。これとは異なり、硬貨処理装置２から回収業者側へ、回収処理の対象となる収納カセット２６に関する情報を送信することをトリガーとして、回収業者の担当者は、貨幣の回収のために、店舗１１に出向くようにしてもよい。つまり、収納カセット２６に関する情報を送信することを、店舗１１側から回収業者に対する、貨幣の回収のリクエストとしてもよい。
【０１０２】
また、前述した構成では、硬貨処理装置２は、第１〜第６の収納カセット２６１〜２６６に、入金日別に硬貨を収納することとしたが、たとえば収納カセットへの入金は、当該カセットがフルになるまで収納することとしてもよい。具体的には、１日目の締め処理後、収納カセットに空き容量がある場合、２日目の収納を当該収納カセットに継続して収納し、フルになった場合に次の収納カセットへの収納を始めることとしてもよい。この場合、複数の入金日にかかる売上金を最小限の収納カセットに収納できることとなり、回収業者が回収する収納カセットをより少なくすることができる。
【０１０３】
また、前記の構成では、硬貨処理装置２の制御部２００が、回収処理を行う収納カセット２６を、複数の収納カセット２６のなかから、収納カセット２６毎に設定するようにしている。これとは異なり、図示は省略するが、硬貨の処理を行う前記硬貨処理装置２と、硬貨処理装置２に接続される、例えばパソコンからなる制御装置とを備えた貨幣処理システムを構成し、制御装置が、回収処理を行う収納カセット２６を、複数の収納カセット２６のなかから、収納カセット２６毎に設定するよう構成してもよい。
【０１０４】
また、ここに開示する技術は、硬貨処理装置に適用することに限らず、紙幣の処理を行う紙幣処理装置に適用してもよいし、硬貨及び紙幣の処理を行う貨幣処理装置に適用してもよい。ここに開示する技術は、貨幣を収納する収納部を有する、様々な構成の処理装置に広く適用することができる。
【０１０５】
（硬貨の搬送に関する構成例）
ここで、硬貨処理装置２における硬貨の搬送に関する構成例について説明をする。前述したように、硬貨処理装置２においては、第１搬送路２３１又は第２搬送路２３２に沿って硬貨が搬送される。
【０１０６】
第１搬送路２３１や第２搬送路２３２における搬送面が汚れていたり（特に、粘着性を有する物質が搬送面に付着しているような汚れ）、硬貨を大量に搬送したときに生じる焼き付き（特にアルミニウム合金製の１円硬貨が、搬送路に凝着すること）が搬送面に生じていたりすると、曲がりや変形が生じている硬貨を搬送したときに滞留が発生してしまい、搬送エラーになってしまう場合がある。こうした搬送エラーが発生したときには、搬送面を清掃することにより復旧させることが可能であるが、搬送エラーが発生する前に、その兆候を知ることができれば、事前に搬送面を清掃すること等により、搬送エラーが発生してしまうことを、回避することができる。
【０１０７】
そこで、硬貨処理装置２は、所定の速度で硬貨を搬送して処理を行う通常モードの他に、所定の速度よりも遅い速度で硬貨を搬送することにより、搬送面の汚れや焼き付き状態を判断する点検モードを備えるように構成してもよい。
【０１０８】
図４に示すように、第２搬送路には、各孔２５ａ〜２５ｇに対応してセンサ２５２ａ〜２５２ｇが配設されている。これらのセンサ２５２ａ〜２５２ｇは、前述したように、硬貨の搬送を監視するセンサであるが、これら複数のセンサ２５２ａ〜２５２ｇの検知結果に基づいて、硬貨の、実際の搬送速度を検出することができる。
【０１０９】
硬貨処理装置２は、硬貨を高速で搬送することができるように、第２搬送ベルト２３４によって硬貨をグリップする力が強い。このため、搬送速度が相対的に高い通常モードでは、搬送面が多少汚れていたり、焼き付きが多少生じていたりしても、硬貨を搬送させることができる。一方、点検モードにおいて硬貨の第２搬送ベルトの走行速度を遅くすることにより、搬送面が汚れていたり、焼き付きが生じていたりすると、第２搬送ベルト２３４の走行速度に対して硬貨の搬送速度が遅くなる。点検モードにおいては、第２搬送ベルト２３４の走行速度と、硬貨の搬送速度との速度差に基づいて、搬送面の汚れ度合いや、搬送面に発生している焼き付きの度合いを推定することができる。
【０１１０】
硬貨処理装置２の制御部２００は、点検モードにおいて、第２搬送ベルト２３４の走行速度と、硬貨の搬送速度との速度差が所定よりも大きいときには、搬送面が汚れている、又は、搬送面に焼き付きが発生していると推定して、操作者に搬送面の清掃を促す。具体的には、表示部２１２に、保守点検情報として、搬送面の清掃が必要である旨を表示してもよい。また、硬貨処理装置２の保守を行っている保守店に、通信回線９を介して通知を行ってもよい。
【０１１１】
こうすることで、搬送エラーが発生する前に、搬送面を清掃することができるから、搬送エラーの発生を抑制することができる。
【０１１２】
尚、点検モードは、例えば入金処理の実行時に、定期的に行ってもよい。例えば、入金処理を所定回数、実行する度に、次回の入金処理を点検モードによって行うようにしてもよいし、搬送路を搬送した硬貨の枚数が所定枚数を超える度に、次回の入金処理を点検モードによって行うようにしてもよい。さらに、入金処理の一部を、点検モードよって行ってもよい。例えば、入金処理の開始時は、点検モードよって入金処理を行うと共に、搬送面が汚れている、又は、搬送面に焼き付きが発生していないときには、残りの入金処理を、通常モードによって行うようにしてもよい。
【０１１３】
また、硬貨処理装置２が、硬貨の収納量を確認するための精査処理を実行可能に構成されている場合は、精査処理の一部を点検モードによって実行するようにしてもよい。点検モードは、搬送速度が低いため、処理に要する時間が長くなるが、例えば夜間等の硬貨処理装置２を使用していないときに精査処理を行うようにすれば、処理時間が長くなることによる不都合が生じにくくなる。
【０１１４】
尚、前述した様々な実施形態は、適宜、組み合わせることが可能である。例えば収納カセット２６は１個のカセットにおいて複数の収納部を設けていてもよい。また、ランプの発光態様としては、点滅、点灯、あるいは色の変更など、様々な態様が含まれる。
【符号の説明】
【０１１５】
２  硬貨処理装置（貨幣処理装置）
２０  筐体
２００  制御部
２０１  通信部（出力部）
２１２  表示部
２６  収納カセット（収納部）
２６１〜２６６  収納カセット（収納部）
２６８  開閉部
２９１  ロック機構
２９ａ〜２９ｆ  ランプ（出力部）
【図１】
2019169055.tif 000003
【図２】
2019169055.tif 000004
【図３】
2019169055.tif 000005
【図４】
2019169055.tif 000006
【図５】
2019169055.tif 000007
【図６】
2019169055.tif 000008
【図７】
2019169055.tif 000009
【図８】
2019169055.tif 000010
【図９】
2019169055.tif 000011
【図１０】
2019169055.tif 000012
【図１１】
2019169055.tif 000013